【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
無線通信システムにおける通信のための方法であって、
ステーションにより、スケジューリング情報および第１のサイクリック・プレフィックスの第１の長さを示すサイクリック・プレフィックス・インジケータを含むフレームを受信するステップであって、前記スケジューリング情報は、前記ステーションのためにスケジュールされたアップリンク伝送のための情報を含み、前記フレームは前記第１のサイクリック・プレフィックスに従って受信される、ステップと、
前記ステーションにより、前記アップリンク伝送のための第２のサイクリック・プレフィックスの第２の長さを、前記スケジューリング情報、前記第１のサイクリック・プレフィックスの前記第１の長さ、および前記第２のサイクリック・プレフィックスの前記第２の長さと前記第１のサイクリック・プレフィックスの前記第１の長さの間のマッピングに従って決定するステップと、
前記ステーションにより、前記第２のサイクリック・プレフィックスの前記第２の長さに従って前記第２のサイクリック・プレフィックスを用いて前記アップリンク伝送を送信するステップと、を含み、
前記マッピングは、
前記第１のサイクリック・プレフィックスの前記第１の長さは0.4 usであり、前記第２のサイクリック・プレフィックスの前記第２の長さは1.6 usである、または、
前記第１のサイクリック・プレフィックスの前記第１の長さは0.8 usであり、前記第２のサイクリック・プレフィックスの前記第２の長さは1.6 usである、または、
前記第１のサイクリック・プレフィックスの前記第１の長さは1.6 usであり、前記第２のサイクリック・プレフィックスの前記第２の長さは3.2 usである、または、
前記第１のサイクリック・プレフィックスの前記第１の長さは3.2 usであり、前記第２のサイクリック・プレフィックスの前記第２の長さは3.2 usである、
のうちの１つを含む方法。
【請求項２】
前記第２のサイクリック・プレフィックスの前記第２の長さは、前記第１のサイクリック・プレフィックスの前記第１の長さ以上である、請求項１に記載の方法。
【請求項３】
前記フレームはトリガ・フレームである、請求項１または２に記載の方法。
【請求項４】
前記フレームは、前記スケジューリング情報が他のダウンリンク・データと一緒に送られるダウンリンク・フレームである、請求項１から３のいずれか一項に記載の方法。
【請求項５】
前記スケジューリング情報は、前記ステーションを含む複数のステーションに送信される、請求項１から４のいずれか一項に記載の方法。
【請求項６】
前記スケジューリング情報は、少なくとも１つの多元接続技術が使用されるかどうかを示す多元接続技術使用インジケータを含む、請求項１から５のいずれか一項に記載の方法。
【請求項７】
前記多元接続技術は、直交周波数分割多元接続(OFDMA)およびマルチユーザ多入力多出力(MU-MIMO)を含む、請求項６に記載の方法。
【請求項８】
無線通信システムにおける通信のための方法であって、
アクセスポイントにより、スケジューリング情報および第１のサイクリック・プレフィックスの第１の長さを示すサイクリック・プレフィックス・インジケータを含むフレームを送信するステップであって、前記スケジューリング情報は、ステーションのためにスケジュールされたアップリンク伝送のための情報を含み、前記フレームは前記第１のサイクリック・プレフィックスに従って送信される、ステップと、
前記アクセスポイントにより、前記アップリンク伝送を前記ステーションから受信するステップであって、前記アップリンク伝送は、前記スケジューリング情報、前記第１のサイクリック・プレフィックスの前記第１の長さ、および第２のサイクリック・プレフィックスの第２の長さと前記第１のサイクリック・プレフィックスの前記第１の長さの間のマッピングに従って決定された前記第２のサイクリック・プレフィックスの前記第２の長さを有する、ステップと、を含み、
前記マッピングは、
前記第１のサイクリック・プレフィックスの前記第１の長さは0.4 usであり、前記第２のサイクリック・プレフィックスの前記第２の長さは1.6 usである、または、
前記第１のサイクリック・プレフィックスの前記第１の長さは0.8 usであり、前記第２のサイクリック・プレフィックスの前記第２の長さは1.6 usである、または、
前記第１のサイクリック・プレフィックスの前記第１の長さは1.6 usであり、前記第２のサイクリック・プレフィックスの前記第２の長さは3.2 usである、または、
前記第１のサイクリック・プレフィックスの前記第１の長さは3.2 usであり、前記第２のサイクリック・プレフィックスの前記第２の長さは3.2 usである、
のうちの１つを含む方法。
【請求項９】
前記スケジューリング情報は、前記ステーションを含む複数のステーションに送信される、請求項８に記載の方法。
【請求項１０】
前記第２のサイクリック・プレフィックスの前記第２の長さは、前記第１のサイクリック・プレフィックスの前記第１の長さ以上である、請求項８または９に記載の方法。
【請求項１１】
前記フレームはトリガ・フレームである、請求項８から１０のいずれか一項に記載の方法。
【請求項１２】
前記フレームは、前記スケジューリング情報が他のダウンリンク・データと一緒に送られるダウンリンク・フレームである、請求項８から１１のいずれか一項に記載の方法。
【請求項１３】
ステーションであって、
スケジューリング情報および第１のサイクリック・プレフィックスの第１の長さを示すサイクリック・プレフィックス・インジケータを含むフレームを受信するように構成された受信機であって、前記スケジューリング情報は、前記ステーションのためにスケジュールされたアップリンク伝送のための情報を含み、前記フレームは前記第１のサイクリック・プレフィックスに従って受信される、受信機と、
前記受信機に動作可能に結合されたプロセッサであって、前記アップリンク伝送のための第２のサイクリック・プレフィックスの第２の長さを、前記スケジューリング情報、前記第１のサイクリック・プレフィックスの前記第１の長さ、および前記第２のサイクリック・プレフィックスの前記第２の長さと前記第１のサイクリック・プレフィックスの前記第１の長さの間のマッピングに従って決定するように構成されたプロセッサと、
前記プロセッサに動作可能に結合された送信機であって、前記第２のサイクリック・プレフィックスの前記第２の長さに従って前記第２のサイクリック・プレフィックスを用いて前記アップリンク伝送を送信するように構成された送信機と、を含み、
前記マッピングは、
前記第１のサイクリック・プレフィックスの前記第１の長さは0.4 usであり、前記第２のサイクリック・プレフィックスの前記第２の長さは1.6 usである、または、
前記第１のサイクリック・プレフィックスの前記第１の長さは0.8 usであり、前記第２のサイクリック・プレフィックスの前記第２の長さは1.6 usである、または、
前記第１のサイクリック・プレフィックスの前記第１の長さは1.6 usであり、前記第２のサイクリック・プレフィックスの前記第２の長さは3.2 usである、または、
前記第１のサイクリック・プレフィックスの前記第１の長さは3.2 usであり、前記第２のサイクリック・プレフィックスの前記第２の長さは3.2 usである、
のうちの１つを含むステーション。
【請求項１４】
前記第２のサイクリック・プレフィックスの前記第２の長さは、前記第１のサイクリック・プレフィックスの前記第１の長さ以上である、請求項１３に記載のステーション。
【請求項１５】
前記フレームはトリガ・フレームである、請求項１３または１４に記載のステーション。
【請求項１６】
前記フレームは、前記スケジューリング情報が他のダウンリンク・データと一緒に送られるダウンリンク・フレームである、請求項１３から１５のいずれか一項に記載のステーション。
【請求項１７】
前記スケジューリング情報は、前記ステーションを含む複数のステーションに送信される、請求項１３から１６のいずれか一項に記載のステーション。
【請求項１８】
前記スケジューリング情報は、少なくとも１つの多元接続技術が使用されるかどうかを示す多元接続技術使用インジケータを含む、請求項１３から１７のいずれか一項に記載のステーション。
【請求項１９】
前記多元接続技術は、直交周波数分割多元接続(OFDMA)およびマルチユーザ多入力多出力(MU-MIMO)を含む、請求項１８に記載のステーション。
【請求項２０】
アクセスポイントであって、
スケジューリング情報および第１のサイクリック・プレフィックスの第１の長さを示すサイクリック・プレフィックス・インジケータを含むフレームを送信するように構成された送信機であって、前記スケジューリング情報は、ステーションのためにスケジュールされたアップリンク伝送のための情報を含み、前記フレームは前記第１のサイクリック・プレフィックスに従って送信される、送信機と、
前記送信機に動作可能に結合された受信機であって、前記受信機は、前記アップリンク伝送を前記ステーションから受信するように構成され、前記アップリンク伝送は、前記スケジューリング情報、前記第１のサイクリック・プレフィックスの前記第１の長さ、および第２のサイクリック・プレフィックスの第２の長さと前記第１のサイクリック・プレフィックスの前記第１の長さの間のマッピングに従って決定された前記第２のサイクリック・プレフィックスの前記第２の長さを有する、受信機と、を含み、
前記マッピングは、
前記第１のサイクリック・プレフィックスの前記第１の長さは0.4 usであり、前記第２のサイクリック・プレフィックスの前記第２の長さは1.6 usである、または、
前記第１のサイクリック・プレフィックスの前記第１の長さは0.8 usであり、前記第２のサイクリック・プレフィックスの前記第２の長さは1.6 usである、または、
前記第１のサイクリック・プレフィックスの前記第１の長さは1.6 usであり、前記第２のサイクリック・プレフィックスの前記第２の長さは3.2 usである、または、
前記第１のサイクリック・プレフィックスの前記第１の長さは3.2 usであり、前記第２のサイクリック・プレフィックスの前記第２の長さは3.2 usである、
のうちの１つを含むアクセスポイント。
【請求項２１】
前記送信機は、前記スケジューリング情報を、前記ステーションを含む複数のステーションに送信するように構成された、請求項２０に記載のアクセスポイント。
【請求項２２】
前記第２のサイクリック・プレフィックスの前記第２の長さは、前記第１のサイクリック・プレフィックスの前記第１の長さ以上である、請求項２０または２１に記載のアクセスポイント。
【請求項２３】
前記フレームはトリガ・フレームである、請求項２０から２２のいずれか一項に記載のアクセスポイント。
【請求項２４】
前記フレームは、前記スケジューリング情報が他のダウンリンク・データと一緒に送られるダウンリンク・フレームである、請求項２０から２３のいずれか一項に記載のアクセスポイント。
【請求項２５】
請求項１から１２のいずれか一項に記載の方法をコンピュータに実行させるプログラムを記録したコンピュータ読み取り可能な記憶媒体。